(57)【要約】      （修正有）【課題】被り易く構造が簡単で、しかも解けにくいヘアーキャップを提供する。【解決手段】第１長辺部１と第２長辺部２と第１短辺部３と第２短辺部４とよりなる矩形の水分吸収性を有するヘアーキャップＡであって、第１長辺部１の一方端と他方端とが取り外し自在に結合され、この第１長辺部１に伸縮ギャザー部Ｇが設けられている。また、第１長辺部１の一方端と他方端との結合部に対して、第２長辺部２の中央部が取り外し自在に結合されており、更に、第１長辺部１の一方端と他方端とが留め具によって取り外し自在に結合されている。【選択図】図１
0003177498.tif 000002
【実用新案登録請求の範囲】
【請求項１】
第１長辺部と第２長辺部と第１短辺部と第２短辺部とよりなる矩形の水分吸収性を有するヘアーキャップであって、第１長辺部の一方端と他方端とが取り外し自在に結合され、この第１長辺部に伸縮ギャザー部が設けられていることを特徴とするヘアーキャップ。
【請求項２】
第１長辺部の一方端と他方端との結合部に対して、第２長辺部の中央部が取り外し自在に結合されていることを特徴とする請求項１記載のヘアーキャップ。
【請求項３】
第１長辺部の一方端と他方端とが留め具によって取り外し自在に結合されていることを特徴とする請求項１記載のヘアーキャップ。
【請求項４】
第２長辺部の中央部が係止具により取り外し自在に結合されていることを特徴とする請求項１記載のヘアーキャップ。
【請求項５】
第１長辺部の一方端と他方端とが留め具によって取り外し自在に結合され、第１長辺部の一方端と他方端との結合部に対して、第２長辺部の中央部が係止具により取り外し自在に結合されていることを特徴とする請求項１記載のヘアーキャップ。
【請求項６】
第１長辺部の一方端と他方端との結合部には、更にボタンが設けられでおり、該ボタンに取り外し自在に第２長辺部の中央部にリング状紐が設けられ、該リング状紐が前記ボタンに取り外し自在となっていることを特徴とする請求項５載のヘアーキャップ。
【請求項７】
留め具及び係止具がタッチフファスナであることを特徴とする請求項５記載のヘアーキャップ。
【考案の詳細な説明】
【技術分野】
【０００１】
本考案は、頭部に被るヘアーキャップに関し、更に詳しくは、頭部に被って頭髪の湿気、水分を吸収するためのヘアーキャップに関する。
【背景技術】
【０００２】
通常、洗髪した後は、頭髪が濡れているためドライヤー等を使って乾燥させることが多い。
特に、洗髪直後は、まず頭髪をタオル等で拭いて水気を取り去り、その後ドライヤー等を使ってゆっくり乾燥させる。
この場合、頭髪にタオルをターバンのように巻いておくことで濡れた頭髪による服などの濡れが防止され、更に水分が吸収される。
タオルを巻くときは、通常、頭髪のある頭部全体にタオルを巻くようにして着用する。
しかし、身体を動かすと頭部に巻いたタオルが解けて離脱するようなことが生じる。
特に、子供等は動きが激しいのでタオルがしばしば外れる。
このようなことから、簡単には頭部から外れないヘアーキャップが開発されている。
【０００３】
例えば、特許文献１に示されている「すっぽり巻き」といわれているヘアーキャップは、布地を筒状にして下端部にスリット加工を施したものである。
しかし、スリットがあっても筒状であるため頭部に被る場合、特に頭の大きい人は被り難く、また被れても頭髪が乱れ易い。
【０００４】
また、特許文献２に示されているヘアーキャップにおいても、両側縁の間が開くようになっており、三角形状の摘み部も備えているが、あくまでも、両角縁が止着片によって一体的に止着されてヘアーキャップ全体が円筒状に形成されているので、上記と同様に着用し難い欠点がある。
このようなことから、着用し易いように工夫がなされたヘアーキャップも提供されている。
【０００５】
この、特許文献３に示されているヘアーキャップは、布地を筒状にして頭部挿入部の他に頭出口開口部を設けたもので、確かに被り易くなったが、あくまでも円筒状なので限度がある。
また開口部を複数備えることから構造も複雑となり製造工数が増える問題もある。
更に抜け止め部が抜けてヘアーキャップが解け易い。
【先行技術文献】
【特許文献】
【０００６】
【特許文献１】特開２００５−１９４６７８号公報
【特許文献２】特開平９−２４１９１３号公報
【特許文献３】特開２００９−２４７８４０号公報
【考案の概要】
【考案が解決しようとする課題】
【０００７】
本考案は、以上の事情を背景になされたものである。
すなわち、本考案の目的は、被り易く構造が簡単で、しかも解けにくいヘアーキャップを提供することである。
【課題を解決するための手段】
【０００８】
上記課題を解決するために、鋭意、研究した結果、矩形のタオルの形状を維持したまま、長辺部の両端を取り外し可能にすることにより、上記の問題点を解決できることを見出し、この知見により本考案に考え至ったものである。
【０００９】
即ち、本考案は、（１）、第１長辺部１と第２長辺部２と第１短辺部３と第２短辺部４とよりなる矩形の水分吸収性を有するヘアーキャップＡであって、第１長辺部１の一方端と他方端とが取り外し自在に結合され、この第１長辺部１に伸縮ギャザー部Ｇが設けられているヘアーキャップＡに存する。
【００１０】
また、本考案は、（２）、第１長辺部１の一方端と他方端との結合部に対して、第２長辺部２の中央部が取り外し自在に結合されている上記（１）記載のヘアーキャップＡに存する。
【００１１】
また、本考案は、（３）、第１長辺部１の一方端と他方端とが留め具によって取り外し自在に結合されている上記（１）記載のヘアーキャップＡに存する。
【００１２】
また、本考案は、（４）、第２長辺部２の中央部が係止具により取り外し自在に結合されている上記（１）記載のヘアーキャップＡに存する。
【００１３】
また、本考案は、（５）、第１長辺部１の一方端と他方端とが留め具によって取り外し自在に結合され、第１長辺部１の一方端と他方端との結合部に対して、第２長辺部２の中央部が係止具により取り外し自在に結合されている上記（１）記載のヘアーキャップＡに存する。
【００１４】
また、本考案は、（６）、第１長辺部１の一方端と他方端との結合部には、更にボタンが設けられでおり、該ボタンに取り外し自在に第２長辺部２の中央部にリンク状紐が設けられ、該リンク状紐が前記ボタンに取り外し自在となっている上記（５）記載のヘアーキャップＡに存する。
【００１５】
また、本考案は、（７）、留め具及び係止具がタッチファスナである上記（５）記載のヘアーキャップＡ。
【００１６】
なお、本考案の目的に沿ったものであれば上記（１）〜（７）を適宜組み合わせた構成も採用可能である。
【考案の効果】
【００１７】
本考案のヘアーキャップは、第１長辺部と第２長辺部と第１短辺部と第２短辺部とよりなる矩形の水分吸収性を有するもので、第１長辺部の一方端と他方端とが取り外し自在に結合され、この第１長辺部に伸縮ギャザー部が設けられているので、頭部に着用する場合に操作が迅速に行える。
また通常は矩形の形状をしていることから、そのまま首部に巻き付けることができ、頭部を穴から挿入する操作が不要である。
また構造が簡単なので製造もし易い。
また第１長辺部の一方端と他方端との結合部に対して、第２長辺部の中央部が取り外し自在に結合されていることにより、頭に着用した場合にヘアーキャップが解き外れることがない。
【図面の簡単な説明】
【００１８】
【図１】図１は、本願考案のヘアーキャップの実施の形態を示すもので、ヘアーキャップを展開した状態を説明する図であり、図１（Ａ）は表側から見た図で、図１（Ｂ）は裏側から見た図である。
【図２】図２は、ヘアーキャップの第１長辺部を首に巻き付ける操作を説明する図である。
【図３】図３は、ヘアーキャップ全体を上方に移動させる操作を説明する図である。
【図４】図４は、第２長辺部の両端を左右から頭の真上に重ね上げる操作を説明する図である。
【図５】図５は、第２長辺部の中央部を持ち上げて第１長辺部の一方端と他方端との結合部に取り付ける操作を説明する図である。
【図６】図６は、首の後側に垂れ下がっている第２長辺部の中央部を前方に持ち上げる動作を説明する図である。
【図７】図７は、ヘアーキャップの頭部への着用が完了した状態を説明する図である。
【図８】図８は、ヘアーキャップの角部に丸みがあり、各辺に縁取りが設けられた例を示す。
【考案を実施するための形態】
【００１９】
以下、本考案を実施するための最良の形態を図面を用いて説明する。
【００２０】
（実施の形態）
本願考案のヘアーキャップＡは、構造が極めて簡単で且つ頭部へ取り付け易く有用である。
図１は、本願考案のヘアーキャップＡの実施の形態を示すもので、ヘアーキャップＡを展開した状態である。
【００２１】
図１（Ａ）は表側から見た図で、図１（Ｂ）は裏側から見た図である。
ヘアーキャップＡは水分吸収性の布地で形成されており、ほぼ矩形の形をしている。
布地の形態としては、タオル地、織地、編地等が使われ、その材質としては、化繊、綿、絹、麻等の天然繊維、ウール等の動物繊維、等が挙げられる。
いずれも、頭髪の水分を十分吸収できる材質のものが採用される。
【００２２】
ヘアーキャップＡは、図１に示すように、第１長辺部１とそれに対向する第２長辺部２、更に第１短辺部３とそれに対向する第２短辺部４を有する。
この第１長辺部１の一方端と他方端とが取り外し自在に結合されている。
具体的には、第１長辺部１の一方端と他方端とは留め具により取り外し自在になっている。
すなわち、一方端にボタン５１を付け他方端にそれが嵌め込まれるスリット５２を設ける。
ここでボタン５１は、表側と裏側に露出している。
或いは、一方端に雌型タッチファスナを付け他方端にそれに対応する雄型タッチファスナが設けられる。
このようにすることで、第１長辺部１の一方端と他方端とが簡単に固定でき、また固定状態から簡単に取り外せる。
【００２３】
また、第１長辺部１には伸縮ギャザー部Ｇが設けられており、引っ張って伸ばすことができる。
そのため、頭部に弾圧的に装着できる。
この伸縮ギャザー部Ｇとしては、ゴム紐を布地に縫い込む方法や第１長辺部１の布地を袋状に縫ってトンネル通路を形成し、その中にゴム紐を挿入してもよい。
【００２４】
また第１長辺部１の一方端と他方端との結合部に対して、第２長辺部２の中央部が取り外し自在に結合されている。
そのため後述するように、ヘアーキャップＡは頭に被った状態で外れることがない。
【００２５】
この取り外し自在にするには、第２長辺部２の中央部と第１長辺部１の一方端と他方端との結合部が、係止具を使って取り外し自在になっていればよい。
例えば、第１長辺部１の一方端と他方端との結合部には、ボタン５１が設けられており、また第２長辺部２の中央部に輪状紐６２が設けられており、該ボタン５１に輪状紐６２を掛けることで、結合部に中央部が取り付けられる。
反対に輪状紐６２をボタン５１から外すことにより、結合部と中央部とは離脱する。
結合部に図示しない雌型タッチファスナを付け中央部にそれに対応する雄型タッチファスナを設けることで取り外し自在とすることも可能である。
【００２６】
ここで、頭部に本考案のヘアーキャップＡを着用する手順を説明する。
１）まず、先述した、図１に示すように、ヘアーキャップＡを平面に展開して矩形状にする（平面展開操作）。
そして図２に示すように、ヘアーキャップＡの第１長辺部１を首に取り付ける。
その際、第１長辺部１の一方端と他方端とを結合する。例えば、一方端のボタン５１を他方端のスリット５２に嵌め込む。これで第１長辺部１が輪状になって首に巻き付けられる。
このボタン５１の部分は首の前に位置付けられる（第１長辺部１の巻き付け操作）。
本考案の場合、ヘアーキャップＡは筒状に形成されてなく、平面に展開した状態から第１長辺部１の方を首に巻き付けるようにして取り付けるので、その取り付けの操作が簡単である。
【００２７】
２）次に図３に示すように、両手でヘアーキャップＡ全体を上方に移動させる。
そして、第１長辺部１が額とこめかみ、耳の下と後ろ首に渡って位置するまで引き上げる（扱き上げ操作）。
扱き上げ操作には、両手が使えるため、上方への移動が極めて簡単に行える。
この場合、ヘアーキャップＡは裏返しされ表の部分が裏側となり、頭部が第１長辺部１の伸縮ギャザー部Ｇにより、締め付けられた状態となる。
なお、手を離すと、図４に示すように、第１短辺部３と第２短辺部４は、顔の左右に垂れ下がった状態にある。
【００２８】
３）次に図５に示すように、この扱き上げ状態を維持したまま、垂れ下がった第１短辺部３と第２短辺部４を左右から頭の真上に重ね上げる（第１短辺部３と第２短辺部４を重ね上げ操作）。
この場合、第１短辺部３と第２短辺部４は左右に垂れ下がっているため持ちやすく頭の真上に重ね上げ易い。
また、この状態では第２長辺部２の中央部が首の後側に垂れ下がった状態にある。
【００２９】
４）次に図６に示すように、首の後側に垂れ下がっている第２長辺部２の中央部を前方に持ち上げて第１短辺部３と第２短辺部４との重ね合わせ部分に上げ、額の中央に位置する第１長辺部１の一方端と他方端との結合部に取り付ける（第１長辺部１と第２長辺部２の中央部との結合操作）。
例えば、第１長辺部１の一方端と他方端との結合部にボタン５１が設けられ、第２長辺部２の中央部に輪状紐６２が設けられている場合には、該ボタン５１に輪状紐６２を掛けることで、第１長辺部１の一方端と他方端との結合部に第２長辺部２の中央部が固定される。
尚、輪状紐６２を掛けるためのものとしてボタン５１ではなく、別のボタンを第１長辺部１の一方端と他方端の結合部に設けてもよい。
その際、操作は顔の前方で行えるので簡単であり、また第１長辺部１の一方端と他方端との結合部が第２長辺部２の中央部から分離することはない。
【００３０】
５）上記の第１長辺部１と第２長辺部２との結合操作により、ヘアーキャップＡの頭部への着用は完了する。
【００３１】
図７は、ヘアーキャップＡが頭部への着用が完了した状態を説明する図である。
以上のような、「平面展開操作」→「扱き上げ操作」→「第１短辺部３と第２短辺部４を重ね上げ操作」→「第１長辺部１と第２長辺部２の中央部との結合操作」の手順で操作が行われる。
その際、頭髪が乱れにくく、また速やかに被ることができ、子供や老人でも簡単に使用することができ、極めて有用である。
【００３２】
以上のようにして、ヘアーキャップＡは頭部に着用されるが、第１短辺部３と第２短辺部４は左右から頭の真上に重ね上げられて、上から第２長辺部２の中央部で確実に押さえられる。
しかも、第２長辺部２の中央部が第１長辺部１の一方端と他方端との結合部に係止具で留められるので外れて分離するようなことはない。
前述した従来例では分離してしまう欠点があったが、そのような問題は生じない。
【００３３】
以上、本考案を説明してきたが、本考案はその本質に変更のない限り、実施の形態のみに限定されるものではなく多様な変形例が可能である。
例えば、矩形の布地としては、各辺部、すなわち第１長辺部１、第２長辺部２、第１短辺部３、第２短辺部４に多少のカーブを有するものであってもよく、角部に丸みを設けても良い。
また、各辺部に縁取り７、いわゆる耳を設けることにより耐久性を向上させることも可能である。
【００３４】
図８は、ヘアーキャップＡの角部に丸みがあり、各辺に縁取り７が設けられた例を示す。
【産業上の利用可能性】
【００３５】
本考案は、第１長辺部１と第２長辺部２と第１短辺部３と第２短辺部４とよりなる矩形の水分吸収性を有するヘアーキャップＡであって、第１長辺部１の一方端と他方端とが取り外し自在に結合され、この第１長辺部１に伸縮ギャザー部Ｇが設けられている。
そのため、頭部に取り付ける場合に迅速に被ることがでる。
また着用の前は矩形の形状をしており、そのまま首部に巻き付けることから頭部を挿入する操作が不要である。
【００３６】
本考案のヘアーキャップは、構造が極めてシンプルであり製造し易い。
取り付け方の原理から見ると他の頭巾や帽子に広く適用が利用可能である。
【符号の説明】
【００３７】
１・・・第１長辺部
２・・・第２長辺部
３・・・第１短辺部
４・・・第２短辺部
５１・・・ボタン
５２・・・スリット
６１・・・引掛け用のボタン（係止具）
６２・・・輪状紐（係止具）
７・・・縁取り
Ａ・・・ヘアーキャップ
Ｇ・・・伸縮ギャザー部
【図１】
0003177498.tif 000003
【図２】
0003177498.tif 000004
【図３】
0003177498.tif 000005
【図４】
0003177498.tif 000006
【図５】
0003177498.tif 000007
【図６】
0003177498.tif 000008
【図７】
0003177498.tif 000009
【図８】
0003177498.tif 000010